(57)【要約】【課題】  ユーザの利便性を向上させることができる放送受信装置及びその制御方法を提供する。【解決手段】  表示装置１００は、画像を表示する表示部１０２と、それぞれ発光量を制御可能な複数の発光ブロックを有する光源部１０３と、複数の光源制御モードの中から設定された光源制御モードで、複数の発光ブロックのそれぞれの発光を制御する制御部１０６と、を備える。制御部１０６は、表示装置１００の起動後の第１期間（第１温度上昇期間）において、複数の発光ブロックを同じパルス位相で点灯させ、第１期間より後の第２期間（温度安定期間）において、複数の発光ブロックをそれぞれ異なるパルス位相で点灯させるように制御する。【選択図】  図１
2019128513.tif 000002
【特許請求の範囲】
【請求項１】
画像を表示する表示手段と、
それぞれ発光量を制御可能な複数の発光ブロックを有する光源手段と、
複数の光源制御モードの中から設定された光源制御モードで、前記複数の発光ブロックのそれぞれの発光を制御する制御手段と、を備え、
前記制御手段は、表示装置の起動後の第１期間において、前記複数の発光ブロックを同じパルス位相で点灯させ、前記第１期間より後の第２期間において、前記複数の発光ブロックをそれぞれ異なるパルス位相で点灯させるように制御することを特徴とする表示装置。
【請求項２】
前記表示装置が第１の光源制御モードに設定された場合、
前記制御手段は、前記第１期間と前記第２期間との間の第３期間において、前記複数の発光ブロックをそれぞれ異なるパルス位相で点灯させることを特徴とする請求項１に記載の表示装置。
【請求項３】
前記制御手段は、前記第３期間において、前記第１期間における前記複数の発光ブロックの点灯期間よりも短く、かつ、前記第２期間における前記光源手段の点灯期間よりも長い点灯期間で、前記複数の発光ブロックを点灯させることを特徴とする請求項２に記載の表示装置。
【請求項４】
前記表示装置が第２の光源制御モードに設定された場合、
前記制御手段は、前記第１期間と前記第２期間との間の第３期間において、前記複数の発光ブロックを同じパルス位相で点灯させことを特徴とする請求項１に記載の表示装置。
【請求項５】
前記制御手段は、前記第３期間において、前記第１期間における駆動電圧値又は駆動電流値よりも低い駆動電圧値又は駆動電流値で前記複数の発光ブロックを点灯させるように制御することを特徴とする請求項４に記載の表示装置。
【請求項６】
前記第１期間、前記第２期間、及び前記第３期間において、前記表示手段に表示される画像の１フレーム期間毎に、前記光源手段を点灯させる点灯期間と消灯させる消灯期間とを設けるように制御することを特徴とする請求項１〜５のいずれか１項に記載の表示装置。
【請求項７】
前記第１期間は、前記表示装置の起動時を含む期間であることを特徴とする請求項１〜６のいずれか１項に記載の表示装置。
【請求項８】
前記表示装置の内部の温度に関する温度情報を取得する取得手段をさらに備え、
前記制御手段は、前記取得手段により取得された温度情報に基づいて、前記第１期間、前記第２期間、前記第３期間を決定することを特徴とする請求項１〜７のいずれか１項に記載の表示装置。
【請求項９】
経過時間に関する時間情報を取得するタイマ手段をさらに備え、
前記制御手段は、前記タイマ手段により取得された時間情報に基づいて、前記第１期間、前記第２期間、前記第３期間を決定することを特徴とする請求項１〜７のいずれか１項に記載の表示装置。
【請求項１０】
前記光源手段の発光量に応じて、前記画像の輝度を補正する画像補正手段をさらに備えることを特徴とする請求項１〜９のいずれか１項に記載の表示装置。
【請求項１１】
画像を表示する表示手段と、それぞれ発光量を制御可能な複数の発光ブロックを有する光源手段と、を備える表示装置の制御方法であって、
表示装置の起動後の第１期間において、前記複数の発光ブロックを同じパルス位相で点灯させ、前記第１期間より後の第２期間において、前記複数の発光ブロックをそれぞれ異なるパルス位相で点灯させるように制御する制御ステップを有する表示装置の制御方法。
【発明の詳細な説明】
【技術分野】
【０００１】
本発明は、画像を表示する表示手段と、前記表示手段の背面側から光を発する光源手段と、を備える表示装置及びその制御方法に関する。
【背景技術】
【０００２】
液晶パネルを用いた液晶表示装置は、液晶の配光制御に時間がかかることや、光源がホールド型発光であるため、ＣＲＴ（冷陰線管）や有機ＥＬパネルを用いた表示装置と比べると動画応答性が劣ると言われている。そのため、液晶表示装置では、高フレームレート（リフレッシュレート）で駆動し、１フレーム毎に黒画像を挿入し、１フレーム期間中に点灯期間と消灯期間を設けることで、光源のホールド時間を短くするようにして動画応答性の改善を図っている。
【０００３】
また、液晶パネルは、温度が高くなると表示輝度（透過率）が低下し、温度が低くなると表示輝度（透過率）が上昇する温度特性を有している。液晶表示装置の起動時は内部温度が低いので、できるだけ短時間で内部温度を上昇させて温度安定状態に到達させることが望ましい。
【０００４】
一方、動画応答性を改善するために１フレーム期間中に点灯期間と消灯期間を設ける場合、１フレーム期間全体を点灯期間とする場合に比べて、消灯期間には液晶表示装置の内部温度の上昇速度が鈍るため、温度安定状態に到達するまでにより長い時間を要する。このため、表示輝度が安定するまでにより長い時間を要することになる。
【０００５】
そこで、液晶表示装置の起動時の内部温度変化に追従した表示輝度安定化技術として、バックライトのドリフト補正技術が提案されている。ドリフト補正では、液晶表示装置の内部温度が変化しても表示輝度が一定となるよう、バックライトの発光輝度が補正される（例えば、特許文献１参照）。
【先行技術文献】
【特許文献】
【０００６】
【特許文献１】特開２００８−１０２４９０号公報
【発明の概要】
【発明が解決しようとする課題】
【０００７】
しかしながら、上記特許文献１の技術を用いる場合、液晶表示装置の内部温度の変化が速い場合、表示輝度へのフィードバック制御に遅延が発生して、表示輝度が安定しないことがあった。特に、複数の発光ブロックで構成されるバックライトを備えた液晶表示装置では、装置内部に搭載する温度センサの数や予め準備するルックアップテーブルのデータ量が多くなるため、簡易な構成では高精度なドリフト補正が行えない。装置構成が複雑になると、表示輝度へのフィードバック制御により大きな遅延が発生してしまうという課題があった。
【０００８】
そこで本発明は、表示装置が温度安定状態に到達するまでの時間を短くすることが可能な表示装置及びその制御方法を提供することを目的とする。
【課題を解決するための手段】
【０００９】
上述した課題を解決するために、本発明の一実施形態に係る表示装置は、画像を表示する表示手段と、それぞれ発光量を制御可能な複数の発光ブロックを有する光源手段と、複数の光源制御モードの中から設定された光源制御モードで、前記複数の発光ブロックのそれぞれの発光を制御する制御手段と、を備え、前記制御手段は、表示装置の起動後の第１期間において、前記複数の発光ブロックを同じパルス位相で点灯させ、前記第１期間より後の第２期間において、前記複数の発光ブロックをそれぞれ異なるパルス位相で点灯させるように制御することを特徴とする。
【発明の効果】
【００１０】
本発明によれば、表示装置が温度安定状態に到達するまでの時間を短くすることが可能となる。
【図面の簡単な説明】
【００１１】
【図１】実施の形態１に係る表示装置の概略構成を示すブロック図である。
【図２】光源部のイメージ図である。
【図３】光源部の各発光ブロックの光源制御タイングについて説明するための図である。
【図４】温度テーブルの一例を示す図である。
【図５】第１光源制御モード及び第２光源制御モードにおける光源制御信号について説明するための図である。
【図６】発光量（発光輝度）と、信号ゲイン値と、表示輝度の推移について説明するための図である。
【図７】表示装置の起動後の動作について説明するためのフローチャートである。
【図８】時間テーブルの一例を示す図である。
【発明を実施するための形態】
【００１２】
以下、図面を用いて本発明の実施の形態について説明する。なお、本発明の技術的範囲は、特許請求の範囲によって確定され、以下に例示する実施形態によって限定されるものではない。また、実施形態の中で説明されている特徴の組み合わせすべてが本発明に必須とは限らない。本明細書および図面に記載の内容は例示であって、本発明を制限するものと見なすべきではない。本発明の趣旨に基づき種々の変形（各実施形態の有機的な組合せを含む）が可能であり、それらを本発明の範囲から除外するものではない。即ち、各実施形態及びその変形例を組み合わせた構成も全て本発明に含まれるものである。
【００１３】
なお、本発明の各実施形態に示す表示装置は、表示パネルと、該表示パネルを背面から照射するバックライトを備える。なお、以下では表示パネルとして液晶パネルを例示し、バックライトの光源としてＬＥＤ発光素子を例示するが、表示パネルやバックライトの光源はこれに限らない。例えば、バックライトの光源は、有機ＥＬ素子やレーザー光源であってもよい。表示パネルは、液晶素子以外の素子（バックライトからの光の透過率を制御可能な素子）を有する表示パネルであってもよい。また、スクリーンに画像を投影する液晶プロジェクター等にも適用可能である。
【００１４】
（実施の形態１）
図１は、実施の形態１に係る表示装置１００の概略構成を示すブロック図である。表示装置１００は、画像補正部１０１と、表示部１０２と、光源部１０３と、センサ部１０４と、タイマ部１０５と、制御部１０６とを備える。制御部１０６は、第１光源制御モードと第２光源制御モードを含む複数の光源制御モードを有する。第１光源制御モードは、動画応答性を優先した動画応答優先モードである。第２光源制御モードは、温度上昇を優先温度上昇優先モードである。
【００１５】
画像補正部１０１は、外部から表示装置１００に入力された入力画像に対して、ゲイン乗算による画像補正処理を行う。入力画像に乗算するゲイン値は、制御部１０６から入力される。また、画像補正処理後の補正画像は、画像補正部１０１から表示部１０２へ出力される。
【００１６】
表示部１０２は、画像を表示する液晶パネル等の表示パネルである。表示部１０２は、画像補正部１０１から入力された補正画像を画面に表示する。光源部１０３は、表示部１０２の背面側から光を発するバックライトであり、それぞれ発光量を制御可能な複数の発光ブロックを有する。光源部１０３は、制御部１０６から入力される光源制御信号に応じて複数の発光ブロックそれぞれの発光量を個別に制御する。光源制御信号は、光源を駆動するＰＷＭ（Ｐｕｌｓｅ  Ｗｉｄｔｈ  Ｍｏｄｕｌａｔｉｏｎ）値や電流値等を含む。
【００１７】
図２は、光源部１０３のイメージ図である。本実施の形態では、光源部１０３は、行方向に分割された互いに隣接する３つの発光ブロック１０７，１０８，１０９で構成されるものとする。ただし、発光ブロックの数や構成はこれに限定されるものではなく、４つ以上の発光ブロックで構成してもよいし、行方向および列方向にマトリクス状に分割された複数の発光ブロックで構成してもよい。
【００１８】
図３は、光源部１０３の各発光ブロックの光源制御タイングについて説明するための図である。同期信号１１０に対し、発光ブロック１０７の光源制御信号１１１、発光ブロック１０８の光源制御信号１１２、発光ブロック１０９の光源制御信号１１３のタイミングを示している。同期信号１１０は、１フレーム期間中に有効画像期間（有効映像期間）と垂直ブランキング期間とを有する。３つの発光ブロックに与える光源制御信号のパルス位相をずらし、かつ、点灯と消灯を繰り返すバックライトスキャンを行うことで、動画応答性が改善される。画面に表示される画像の輝度（最大輝度）に対応する発光量になるように、各発光ブロックの発光量が制御される。パルス幅やパルス高を調整することで、各発光ブロックの発光量の制御が可能である。
【００１９】
センサ部１０４は、制御部１０６からの温度取得指示コマンドに従い、光源部１０３の内部温度を取得して、取得した内部温度に関する温度情報を制御部１０６へ出力する。本実施の形態では、温度情報は、中央の発光ブロック１０８の中央付近にある温度センサで取得した温度を示す情報とする。ただし、発光ブロック１０７，１０８，１０９のぞれぞれの中央付近に温度センサを搭載し、３つの温度センサで取得した温度の平均値を示す温度情報を取得してもよい。
【００２０】
タイマ部１０５は、制御部１０６からの時間取得指示コマンドに応じて、時間情報を生成して制御部１０６へ出力する。時間取得指示コマンドは、表示装置１００の起動指示コマンドを含んでいてもよい。時間情報は、秒単位でのカウント値や、前回起動停止した時刻から今回の起動時刻までの経過時間（停止期間）を示す情報を含む。また、停止期間を計算するために定期的に現時刻情報を保存してもよい。ユーザによるＡＣ電源挿抜や雷による停電を考慮し、タイマ部１０５は内部電池で動作させる。
【００２１】
制御部１０６は、例えばＣＰＵ（Ｃｅｎｔｒａｌ  Ｐｒｏｃｅｓｓｉｎｇ  Ｕｎｉｔ）であり、ＲＯＭからプログラムを読み出して実行することにより、表示装置が備える各機能ブロックの動作を制御する。また、制御部１０６は、表示装置１００の起動直後に各種情報を取得して、取得した情報に基づいて表示装置１００の動作状態を判定する。具体的には、制御部１０６は、設定されている光源制御モード、最大表示輝度値、ガンマ値、温度情報、時間情報等を取得して、表示装置１００が十分に温まった温度安定状態で起動したか、冷えた状態（温度非安定状態）で起動したかの判定を行う。表示装置１００で設定可能な複数の最大表示輝度のぞれぞれの場合における温度安定状態（温度平衡状態）の温度を示す温度テーブルを予め図示しないメモリに記憶しておき、温度テーブルを読み出して表示装置１００の動作状態を判定する。
【００２２】
図４は、温度テーブルの一例を示す図である。表示装置１００で設定可能な最大表示輝度１００〜１０００ｎｉｔｓのぞれぞれの場合における温度安定状態の温度を示す情報が温度テーブルに格納されている。例えば、最大表示輝度１００，５００，１０００ｎｉｔｓのぞれぞれの場合における温度安定状態の温度がＴａ，Ｔｂ，Ｔｃである。１ｎｉｔは、１平方メートルの平面光源がその平面と垂直な方向において一様に輝度を有し、その光度が１カンデラであるときの輝度である。
【００２３】
制御部１０６は、センサ部１０４から取得した温度情報に基づき、表示装置１００の動作状態を判定する。具体的には、表示装置１００の内部温度を取得して、取得した内部温度と、表示装置１００で設定されている最大表示輝度に対応する温度安定状態の温度と比較する。比較結果が同じ温度であった場合は、表示装置１００は十分に温まった温度安定状態で起動したと判定し、そうでない場合は、表示装置１００は冷えた状態（温度非安定状態）で起動したと判定する。なお、温度センサで取得される温度値が検出誤差を含む場合は、Ｔａ，Ｔｂ，Ｔｃに対して検出誤差分を加味して判定してもよい。
【００２４】
なお、制御部１０６は、温度情報の代わりに時間情報に基づき、表示装置１００の動作状態を判定してもよい。具体的には、時間情報が示す停止期間が閾値以下である場合は、表示装置１００は十分に温まった温度安定状態で起動したと判定し、時間情報が示す停止期間が閾値よりも大きい場合は、表示装置１００は冷えた状態（温度非安定状態）で起動したと判定する。この場合の判定閾値は、例えば３０秒や６０秒等の短い時間に設定される。
【００２５】
制御部１０６は、表示装置１００が十分に温まった温度安定状態で起動したと判定した場合、第１光源制御モードで動作し、表示装置１００が冷えた状態（温度非安定状態）で起動したと判定した場合、第２光源制御モードで動作する。
【００２６】
図５（ａ）は、第１光源制御モードにおける光源制御信号について説明するための図であり、図５（ｂ）は、第２光源制御モードにおける光源制御信号について説明するための図である。第１光源制御モードと第２光源制御モードの両方において、時刻ｔ０からｔ１までの第１温度上昇期間に、発光ブロック１０７，１０８，１０９を同じパルス位相で点灯させる。第１温度上昇期間、第２温度上昇期間、及び温度安定期間において、画面に表示される画像の１フレーム期間毎に、発光ブロック１０７，１０８，１０９をそれぞれ点灯させる点灯期間と消灯させる消灯期間とを設ける。第１温度上昇期間には、例えば、１フレーム期間中の有効画像期間に相当する期間だけ点灯期間を設け、１フレーム期間中の垂直ブランキング期間に相当する期間だけ消灯期間を設ける。
【００２７】
第１光源制御モードでは、第１光源制御モードでは、時刻ｔ１からｔ２までの第２温度上昇期間及び時刻ｔ２以降の温度安定期間に、発光ブロック１０７，１０８，１０９をそれぞれ異なるパルス位相で点灯させる。第２温度上昇期間では、第１温度上昇期間における点灯期間よりも徐々に短い点灯期間になるように、１フレーム期間毎に、発光ブロック１０７，１０８，１０９をそれぞれ点灯させる。温度安定期間では、画面に表示される画像の輝度（最大輝度）に対応する発光量になるように、第１温度上昇期間における点灯期間よりも短い点灯期間で、１フレーム期間毎に、発光ブロック１０７，１０８，１０９をそれぞれ点灯させる。このように、時刻ｔ１以降の第２温度上昇期間と温度安定期間において、パルス位相をずらしつつ消灯期間を挿入するバックライトスキャンを行うことで、動画応答性が改善される。時刻ｔ０からｔ１までの第１温度上昇期間は、発光ブロック１０７，１０８，１０９の点灯期間を長くして発光量を多くすることで内部温度上昇を速める。そして、時刻ｔ１からｔ２までの第２温度上昇期間は、画面に表示される画像の輝度（最大輝度）に対応する発光量に近づくように、発光ブロック１０７，１０８，１０９の点灯期間を徐々に短くしていくため、フリッカが発生するのを抑制できる。
【００２８】
第２光源制御モードでは、時刻ｔ１からｔ２までの第２温度上昇期間に、発光ブロック１０７，１０８，１０９を同じパルス位相で点灯させる。第２温度上昇期間でも、第１温度上昇期間と同じように、１フレーム期間中の有効画像期間に相当する期間だけ点灯期間を設け、１フレーム期間中の垂直ブランキング期間に相当する期間だけ消灯期間を設ける。
【００２９】
そして、第２温度上昇期間では、第１温度上昇期間におけるパルス高（駆動電圧値又は駆動電流値）よりも徐々に低いパルス高になるように、１フレーム期間毎に、発光ブロック１０７，１０８，１０９をそれぞれ点灯させる。温度安定期間では、画面に表示される画像の輝度（最大輝度）に対応する発光量になるように、第１温度上昇期間及び第２温度上昇期間における点灯期間よりも短い点灯期間で、１フレーム期間毎に、発光ブロック１０７，１０８，１０９をそれぞれ点灯させる。このように、時刻ｔ２以降の温度安定期間において、パルス位相をずらしつつ消灯期間を挿入するバックライトスキャンを行うことで、動画応答性が改善される。時刻ｔ０からｔ１までの第１温度上昇期間は、発光ブロック１０７，１０８，１０９の点灯期間を長くして発光量を多くすることで内部温度上昇を速める。そして、時刻ｔ１からｔ２までの第２温度上昇期間は、第１温度上昇期間と同じ点灯期間で発光ブロック１０７，１０８，１０９を点灯させるため、第１光源制御モードよりも速く内部温度を上昇させることができる。一方、時刻ｔ２の前後で、発光ブロック１０７，１０８，１０９の点灯期間が急に変化するため、第１光源制御モードよりもフリッカが発生しやすくなる。
【００３０】
このように、第１光源制御モードと第２光源制御モードの両方とも、第１温度上昇期間と第２温度上昇期間において、画面に表示される画像の輝度（最大輝度）に対応する発光量よりも多い発光量で発光ブロック１０７，１０８，１０９を点灯させる。これにより、従来よりも内部温度を速く上昇させることができ、起動後により速く温度安定状態に遷移させることが可能になり、表示装置の表示輝度の安定化を速めることができる。
【００３１】
図６は、光源部１０３の発光量（発光輝度）の推移１１４と、画像補正部１０１で用いる信号ゲイン値の推移１１５と、表示部１０２の画面上の表示輝度の推移１１６について説明するための図である。本実施の形態において、光源輝度は発光量と同じ意味であるものとする。すなわち、光源部１０３の発光輝度は、瞬間的な発光輝度を表すのではなく、光源を発光させた場合に測定器やセンサで測定可能な測定期間で累積される光の量（輝度の累積値）を表すものとする。
【００３２】
第１温度上昇期間と第２温度上昇期間において光源部１０３の発光輝度を高くした分だけ、１未満の信号ゲイン値を画像データに乗算することで画面上の表示輝度が目標値になるようにしている。縦軸の輝度Ｃ１は、画面に表示される画像の目標表示輝度（１フレーム内の最大表示輝度）であり、輝度Ｃ２は輝度Ｃ１よりも高い。
【００３３】
図５（ａ）（ｂ）と同様に、時刻ｔ０からｔ１までの期間は第１温度上昇期間、時刻ｔ１からｔ２までの期間は第２温度上昇期間、時刻ｔ２以降の期間は温度安定期間を表している。表示輝度Ｃ１が１００ｎｉｔｓである場合、センサ部１０４から取得される内部温度が、温度安定状態の温度Ｔａの９０％に到達したタイミングが時刻ｔ１に該当し、センサ部１０４から取得される内部温度がＴａに到達したタイミングが時刻ｔ２に該当する。制御部１０６は、第１温度上昇期間には、光源部１０３の発光輝度がＣ２になるように光源制御を行い、第２温度上昇期間には、光源部１０３の発光輝度がＣ２からＣ３へ徐々に低下するように光源制御を行う。そして、温度安定期間には、光源部１０３の発光輝度がＣ３になるように光源制御を行う。発光輝度Ｃ３は、画面に表示される画像の輝度に対応する発光量に相当する目標発光輝度である。画面に表示される画像の最大輝度（又は平均輝度）が高いほど高い目標発光輝度となり、画面に表示される画像の最大輝度（又は平均輝度）が低いほど低い目標発光輝度となり、画面に表示される画像の輝度に応じて随時更新される。また、画面上の表示輝度は、光源部１０３の発光輝度と表示部１０２の透過率とを乗算して得られる輝度である。
【００３４】
信号ゲイン値Ｇは、図６の輝度Ｃ１，Ｃ２と、時刻ｔ１，ｔ２と、表示装置１００の起動時に設定されているガンマ値とを用いて、制御部１０６により決定され、信号ゲイン値Ｇ＝（Ｃ１／Ｃ（ｔ））（１／ガンマ値）で表される。変数Ｃ（ｔ）は、時刻ｔ１まではＣ２、時刻ｔ１からｔ２の間はＣ２から徐々にＣ１に低下し、時刻ｔ２以降はＣ１となる。
【００３５】
図７は、表示装置１００の起動後の動作について説明するためのフローチャートである。ここでは、表示輝度Ｃ１を１００ｎｉｔｓ、ガンマ値を２．２乗、発光輝度Ｃ２を１０００ｎｉｔｓ、温度安定状態の温度Ｔａを４０℃とする。また、表示装置１００起動直後の内部温度は２３℃で、前回電源オフしてから今回の起動までの経過時間（停止期間）は十分長いものとする。また、表示装置１００の動作状態の判定は、温度情報を用いて行われるものとする。また、時刻ｔ１は、表示装置１００の内部温度がＴａ＝４０℃の９０％である３６℃に達したタイミングとする。
【００３６】
まず、ステップＳ１００において、制御部１０６は、制御部１０６は、表示装置１００の起動直後に各種情報（設定されている光源制御モード、最大表示輝度値、ガンマ値、温度情報、時間情報等）を取得する。具体的には、センサ部１０４へ起動直後の内部温度の取得を指示する。センサ部１０４は、起動直後の内部温度を取得し、温度情報として制御部１０６へ出力する。また、制御部１０６は、タイマ部１０５へ時間情報の取得を指示する。タイマ部１０５は、前回の動作停止時刻（表示装置１００の電源オフ時刻）と今回の起動時（電源オン時）の時刻を取得し、停止期間を算出して制御部１０６へ出力するとともに、起動後からの経過時間を１秒単位でカウントして制御部１０６へ出力する。
【００３７】
次に、ステップＳ１０１において、制御部１０６は、ステップＳ１００で取得した情報に基づいて、表示装置１００が十分に温まった温度安定状態で起動したか、冷えた状態（温度非安定状態）で起動したかの判定を行う。具体的には、内部温度と、温度テーブルに記憶している温度Ｔａとを比較し、内部温度がＴａと等しい場合は、表示装置１００は十分に温まった温度安定状態であると判定して、ステップＳ１０８へ進む。内部温度がＴａと等しくない場合（内部温度がＴａより低い場合）は、表示装置１００は冷えた状態（温度非安定状態）であると判定して、ステップ１０２へ進む。起動時は、内部温度が２３℃でありＴａ＝４０℃よりも低いため、表示装置１００は冷えた状態（温度非安定状態）であると判定される。
【００３８】
ステップＳ１０２において、制御部１０６は、起動直後から光源部１０３の発光輝度が１０００ｎｉｔｓとなるように制御する光源制御信号を光源部１０３へ出力する。起動時を含む第１温度上昇期間において、図５（ａ）（ｂ）で説明したように、光源部１０３は、制御部１０６からの光源制御信号に基づき、発光ブロック１０７，１０８，１０９を同じパルス位相で点灯させる。第１温度上昇期間には、１フレーム期間中の有効画像期間に相当する期間だけ点灯期間を設け、１フレーム期間中の垂直ブランキング期間に相当する期間だけ消灯期間を設ける。また、制御部１０６は、信号ゲイン値を計算する。例えば、
信号ゲイン値＝（１００／１０００）（１／２．２）≒０．３５となる。制御部１０６は、算出した信号ゲイン値を、画像補正部１０１へ出力し、画像補正部１０１は、入力画像に対して信号ゲイン値の乗算を行い、補正画像を表示部１０２に出力する。表示部１０２は、画像補正部１０１から入力された補正画像を画面に表示する。
【００３９】
次に、ステップＳ１０３において、制御部１０６は、切替判定１を実施するため、センサ部１０４に対し内部温度の取得を指示する。センサ部１０４は、内部温度を取得して温度情報を制御部１０６へ出力する。制御部１０６は、表示装置１００の内部温度が、Ｔａ＝４０℃の９０％である３６℃に到達したか否かを判定する。そして、表示装置１００の内部温度が３６℃以上であれば、ステップＳ１０４へ進み、表示装置１００の内部温度が３６℃未満であればステップＳ１０２へ戻る。
【００４０】
ステップＳ１０４において、制御部１０６は、光源部１０３の発光輝度の判定を実施する。具体的には、現時点の光源部の発光輝度と、画面に表示される画像の輝度に対応する発光量に相当する目標発光輝度Ｃ１とを比較する。そして、現時点の光源部の発光輝度が目標発光輝度Ｃ１よりも大きければ、ステップＳ１０５へ進み、現時点の光源部の発光輝度が目標発光輝度Ｃ１以下であれば、ステップＳ１０７へ進む。
【００４１】
ステップＳ１０５において、制御部１０６は、表示装置１００に設定されている光源制御モードを判定し、第１光源制御モードに設定されている場合は、ステップＳ１０６へ進み、第２光源制御モードに設定されている場合は、ステップＳ１０９へ進む。
【００４２】
ステップＳ１０６において、制御部１０６は、図５（ａ）と図６で説明したように、第１光源制御モードにおける第２温度上昇期間の制御を行う。具体的には、発光ブロック１０７，１０８，１０９をそれぞれ異なるパルス位相で点灯させる。そして、第１温度上昇期間における点灯期間よりも徐々に短い点灯期間になるように、１フレーム期間毎に点灯期間を縮小しながら、発光ブロック１０７，１０８，１０９をそれぞれ点灯させる。制御部１０６は、光源部１０３の発光輝度をＣ２（１０００ｎｉｔｓ）からＣ１（１００ｎｉｔｓ）まで、徐々に低下させていく。例えば、１秒間隔で３ｎｉｔｓずつ発光輝度を低下させる場合は３００秒でＣ１（１００ｎｉｔｓ）に到達する。
【００４３】
また、制御部１０６は、信号ゲイン値を算出して、画像補正部１０１へ出力する。例えば、現時点の発光輝度が９００ｎｉｔｓである場合は、信号ゲイン値＝（１００／９００）（１／２．２）≒０．３７となる。光源部１０３の発光輝度がＣ２（１０００ｎｉｔｓ）からＣ１（１００ｎｉｔｓ）まで徐々に低下していくため、信号ゲイン値は０．３５から１まで徐々に増加していくことになる。
【００４４】
ステップＳ１０９において、制御部１０６は、図５（ｂ）と図６で説明したように、第２光源制御モードにおける第２温度上昇期間の制御を行う。具体的には、発光ブロック１０７，１０８，１０９を同じパルス位相で点灯させる。第２温度上昇期間でも、第１温度上昇期間と同じように、１フレーム期間中の有効画像期間に相当する期間だけ点灯期間を設け、１フレーム期間中の垂直ブランキング期間に相当する期間だけ消灯期間を設ける。
【００４５】
そして、第２温度上昇期間では、第１温度上昇期間におけるパルス高（駆動電圧値又は駆動電流値）よりも徐々に低いパルス高になるように、１フレーム期間毎にパルス高を低減しながら、発光ブロック１０７，１０８，１０９をそれぞれ点灯させる。制御部１０６は、光源部１０３の発光輝度をＣ２（１０００ｎｉｔｓ）からＣ１（１００ｎｉｔｓ）まで、徐々に低下させていく。例えば、１秒間隔で３ｎｉｔｓずつ発光輝度を低下させる場合は３００秒でＣ１（１００ｎｉｔｓ）に到達する。
【００４６】
次に、ステップＳ１０７において、制御部１０６は、切替判定２を実施するため、センサ部１０４に対し内部温度の取得を指示する。センサ部１０４は、内部温度を取得して温度情報を制御部１０６へ出力する。制御部１０６は、表示装置１００の内部温度が、Ｔａ＝４０℃に到達したか否かを判定する。そして、表示装置１００の内部温度が４０℃以上であれば、ステップＳ１０８へ進み、表示装置１００の内部温度が４０℃未満であればステップＳ１０４へ戻る。
【００４７】
ステップＳ１０８では、制御部１０６は、図５（ａ）（ｂ）と図６で説明したように、第２温度上昇期間の制御を行う。温度安定期間では、画面に表示される画像の輝度（最大輝度）に対応する発光量になるように、１フレーム期間毎に、発光ブロック１０７，１０８，１０９をそれぞれ点灯させる。このように、時刻ｔ２以降の温度安定期間において、パルス位相をずらしつつ消灯期間を挿入するバックライトスキャンを行うことで、動画応答性が改善される。
【００４８】
以上のように、本実施の形態によれば、表示装置が温度安定状態に到達するまでの時間を短くすることが可能となり、表示装置の表示輝度の安定化を速めることができる。
【００４９】
なお、図７では、温度情報を用いて切替判定１，２を行う場合について説明したが、温度の代わりに時間情報を用いてもよい。例えば、表示装置１００で設定可能な複数の最大表示輝度のぞれぞれの場合における温度安定状態（温度平衡状態）に到達するまでの時間テーブルを予め図示しないメモリに記憶しておく。そして、時間テーブルを読み出して表示装置１００の動作状態を判定して、時刻ｔ１，ｔ２を決定することで、第１温度上昇期間、第２温度上昇期間、温度安定期間を決定してもよい。
【００５０】
図８は、時間テーブルの一例を示す図である。表示装置１００で設定可能な最大表示輝度１００〜１０００ｎｉｔｓのぞれぞれの場合における温度安定状態に到達するまでの時間を示す情報が時間テーブルに格納されている。例えば、最大表示輝度１００ｎｉｔｓの場合における温度安定状態の温度がＴａに到達するまでの時間ｔａ１と、温度Ｔａの９０％の温度に到達するまでの時間ｔａ２とが格納される。また、最大表示輝度５００ｎｉｔｓの場合における温度安定状態の温度がＴｂに到達するまでの時間ｔｂ１と、温度Ｔｂの９０％の温度に到達するまでの時間ｔｂ２とが格納される。また、最大表示輝度１０００ｎｉｔｓの場合における温度安定状態の温度がＴｃに到達するまでの時間ｔｃ１と、温度Ｔｃの９０％の温度に到達するまでの時間ｔｃ２とが格納される。
【００５１】
また、表示装置１００の起動後に入力画像信号が確定する時刻をｔ１、入力画像が表示される時刻をｔ２として、第１温度上昇期間、第２温度上昇期間、温度安定期間を決定してもよい。
【００５２】
（その他の実施例）
本発明は、上述の実施の形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。上記コンピュータは、例えば、ＣＰＵやＭＰＵ等のプロセッサーで構成される。また、１以上の機能を実現する回路（例えば、ＡＳＩＣ）によっても実現可能である。上述の実施形態の１以上の機能を実現するためのコンピュータプログラム自体も本発明の一つである。
【符号の説明】
【００５３】
１００  表示装置
１０１  画像補正部
１０２  表示部
１０３  光源部
１０４  センサ部
１０５  タイマ部
１０６  制御部
【図１】
2019128513.tif 000003
【図２】
2019128513.tif 000004
【図３】
2019128513.tif 000005
【図４】
2019128513.tif 000006
【図５】
2019128513.tif 000007
【図６】
2019128513.tif 000008
【図７】
2019128513.tif 000009
【図８】
2019128513.tif 000010